【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
検索可能な音響情報を提供する方法であって、
前記方法は、
サーバによって、複数の通信デバイスからメタデータを収集することであって、各通信デバイスは、それぞれの音響信号を記録するように構成されており、各通信デバイスに対する前記メタデータは、タイムスタンプおよびジオコードとともに、前記それぞれの記録された音響信号に関連付けられた音響情報を含む、ことと、
前記サーバによって、前記メタデータをデータベースに送信して、前記検索可能な音響情報を生成することと、
前記サーバによって、情報ネットワークによってアクセス可能なコンテンツを作成することであって、前記コンテンツは、前記データベース内に格納された前記検索可能な音響情報の検索を可能にするように構成されている、ことと
を含む、方法。
【請求項２】
各通信デバイスに対する前記音響情報は、対応する記録された音響信号、前記対応する記録された音響信号に関連付けられた音圧レベル、または前記対応する記録された音響信号をモデル化する音声シグネチャのうちの少なくとも１つを含む、請求項１に記載の方法。
【請求項３】
前記データベースによって、前記サーバによって送信された前記メタデータ内に含まれる前記音響情報を１つ以上のカテゴリにカタログ化して、前記検索可能な音響情報を生成することをさらに含む、請求項１に記載の方法。
【請求項４】
前記データベースは、対応する所定の音声をモデル化する複数の検索可能な音声シグネチャを含み、
前記方法は、前記複数の通信デバイスのうちの少なくとも１つの通信デバイスによって、前記サーバを介して、前記複数の検索可能な音声シグネチャの中の音声シグネチャを前記データベースからアップロードすることを含み、前記少なくとも１つの通信デバイスは、前記音声シグネチャと、対応する記録された音響信号とを比較することにより、前記それぞれのメタデータを作成するかどうかを決定する、請求項１に記載の方法。
【請求項５】
前記サーバによって、前記コンテンツとして地図を表示することであって、前記コンテンツは、前記複数の通信デバイスのうちの１つの通信デバイスによってアクセスされる、ことと、
前記サーバによって、前記１つの通信デバイスから、前記地図上の地理的領域に対する選択を受信することと、
前記サーバによって、前記地理的領域に関連付けられた前記検索可能な音響情報を前記データベースから取り出すことと、
前記サーバによって、前記取り出された音響情報を用いて、前記地理的領域に関連する音響地図を作成することと、
前記サーバによって、前記コンテンツとして前記音響地図を表示することと
をさらに含む、請求項１に記載の方法。
【請求項６】
前記サーバによって、前記コンテンツとして、検索可能なフォームを表示することであって、前記検索可能なフォームは、前記検索可能なフォームに関連付けられた地図を含み、前記コンテンツは、前記複数の通信デバイスのうちの１つの通信デバイスによってアクセスされる、ことと、
前記サーバによって、前記検索可能なフォームに対する選択されたトピックを前記１つの通信デバイスから受信することと、
前記サーバによって、前記選択されたトピックに関連付けられた前記検索可能な音響情報を前記データベースから取り出すことと、
前記サーバによって、前記コンテンツとして、前記選択されたトピックに関連付けられた前記取り出された音響情報を表示することと
をさらに含む、請求項１に記載の方法。
【請求項７】
前記複数の通信デバイスのうちの少なくとも１つは、トリガイベントに応答して、対応する音響信号を記録し、前記トリガイベントは、前記音響信号の音圧レベル、前記音響信号の音圧レベルの変化、前記通信デバイスの場所、前記音響信号の時間、前記音響信号の音声シグネチャに対する比較、または前記音響信号の周期性のうちの少なくとも１つを含む、請求項１に記載の方法。
【請求項８】
検索可能な音響情報を提供するシステムであって、
前記システムは、
複数の通信デバイスであって、各通信デバイスは、それぞれの音響信号を記録し、かつ、それぞれのメタデータを作成するように構成されており、各通信デバイスに対する前記メタデータは、タイムスタンプおよびジオコードとともに、前記それぞれの記録された音響信号に関連付けられた音響情報を含む、複数の通信デバイスと、
前記複数の通信デバイスに結合されたサーバであって、前記複数の通信デバイスから前記メタデータを収集するように構成されているサーバと、
前記サーバに結合されたデータベースであって、前記複数の通信デバイスに関連付けられた前記サーバから前記メタデータを受信し、かつ、前記検索可能な音響情報を生成するように構成されたデータベースと
を含み、
前記サーバは、情報ネットワークによってアクセス可能なコンテンツを作成するように構成されており、前記コンテンツは、前記データベース内に格納された前記検索可能な音響情報の検索を可能にするように構成されている、システム。
【請求項９】
各通信デバイスに対する前記音響情報は、対応する記録された音響信号、前記対応する記録された音響信号に関連付けられた音圧レベル、または前記対応する記録された音響信号をモデル化する音声シグネチャのうちの少なくとも１つを含む、請求項８に記載のシステム。
【請求項１０】
前記データベースは、前記サーバから受信した前記メタデータ内に含まれる前記音響情報を１つ以上のカテゴリにカタログ化して、前記検索可能な音響情報を生成するように構成されている、請求項８に記載のシステム。
【請求項１１】
前記データベースは、対応する所定の音声をモデル化する複数の検索可能な音声シグネチャを含み、
前記複数の通信デバイスのうちの少なくとも１つの通信デバイスは、前記サーバを介して、前記複数の検索可能な音声シグネチャの中の音声シグネチャをアップロードするように構成されており、
前記少なくとも１つの通信デバイスは、前記音声シグネチャと、対応する記録された音響信号とを比較することにより、前記それぞれのメタデータを作成するかどうかを決定する、請求項８に記載のシステム。
【請求項１２】
前記サーバは、前記コンテンツとして地図を表示するように構成されており、前記コンテンツは、前記複数の通信デバイスのうちの１つの通信デバイスによってアクセスされ、
前記地図上の地理的領域に対する前記１つの通信デバイスからの選択に応答して、前記サーバは、
１）前記地理的領域に関連付けられた前記検索可能な音響情報を前記データベースから取り出すことと、
２）前記取り出された音響情報を用いて、前記地理的領域に関連する音響地図を作成することと、
３）前記コンテンツとして前記音響地図を表示することと
を行うように構成されている、請求項８に記載のシステム。
【請求項１３】
前記サーバは、前記コンテンツとして、検索可能なフォームを表示するように構成されており、前記検索可能なフォームは、前記検索可能なフォームに関連付けられた地図を含み、前記コンテンツは、前記複数の通信デバイスのうちの１つの通信デバイスによってアクセスされ、
前記検索可能なフォームに対する選択されたトピックに対する前記１つの通信デバイスからの選択に応答して、前記サーバは、
１）前記選択されたトピックに関連付けられた前記検索可能な音響情報を前記データベースから取り出すことと、
２）前記コンテンツとして、前記選択されたトピックに関連付けられた前記取り出された音響情報を表示することと
を行うように構成されている、請求項８に記載のシステム。
【請求項１４】
前記複数の通信デバイスのうちの少なくとも１つは、トリガイベントに応答して、対応する音響信号を記録するように構成されており、前記トリガイベントは、前記音響信号の音圧レベル、前記音響信号の音圧レベルの変化、前記通信デバイスの場所、前記音響信号の時間、前記音響信号の音声シグネチャに対する比較、または前記音響信号の周期性のうちの少なくとも１つを含む、請求項８に記載のシステム。
【請求項１５】
各通信デバイスは、携帯電話、コンピュータ、または少なくとも１つのマイクロホンおよびスピーカを含むイヤホンのうちの少なくとも１つを含む、請求項８に記載のシステム。
【手続補正２】
【補正対象書類名】明細書
【補正対象項目名】０００６
【補正方法】変更
【補正の内容】
【０００６】
少なくとも１つの例示的実施形態は、地図とともに音響情報を提供する方法であって、トピックを検索するステップと、トピックと関 連する地図を提供するステップと、トピックに関係する音響情報について音響データベースを検索するステップと、地図とともに再生するために、トピックに関係する音響情報を提供するステップとを含む、方法を対象とする。
本発明は、例えば、以下を提供する。
（項目１）
音響情報を収集する方法であって、
音響情報を自動的に受信し、収集し、送信するようにデバイスを構成するステップと、
トリガイベントが発生したか否かを決定するために、第１の組の音響情報を分析するステップと、
該トリガイベントが発生したときに、第２の組の音響情報を収集するステップと、
該第２の組の音響情報をデータベースに提供するステップと
を含む、方法。
（項目２）
音圧レベルが所定の閾値を超えていることを上記第１の組の音響情報が示すとき、トリガイベントは既に発生している、項目１に記載の方法。
（項目３）
音圧レベルが所定の量だけ変化したことを上記第１の組の音響情報が示すとき、トリガイベントは既に発生している、項目１に記載の方法。
（項目４）
上記デバイスが所定の場所範囲内にあることを上記第１の組の音響情報が示すとき、トリガイベントは既に発生している、項目１に記載の方法。
（項目５）
第１の組の音響情報が所定の時間範囲内であることを該第１の組の音響情報が示すとき、トリガイベントは既に発生している、項目１に記載の方法。
（項目６）
上記第１の組の音響情報を、少なくとも１つの音声シグネチャと比較するステップと、
上記音声が該少なくとも１つの音声シグネチャに類似しているときに、上記第２の組の音響情報を収集するステップと
をさらに含む、項目１に記載の方法。
（項目７）
上記第１の組の音響情報を、少なくとも１つの音声シグネチャと比較するステップと、
上記音声が該少なくとも１つの音声シグネチャとは異なるときに、上記第２の組の音響情報を収集するステップと
をさらに含む、項目１に記載の方法。
（項目８）
トリガイベントが発生すると、上記第１の組の音響情報を記憶するステップと、
メタデータを該第１の組の音響情報に添付するステップと、
メモリの中に第３の音響情報のキューを構築するステップと、
上記通信デバイスと上記データベースとの間の通信経路が有効になると、該第３の音響情報のキューを該データベースに送信するステップと
をさらに含む、項目１に記載の方法。
（項目９）
上記メタデータとともにタイムスタンプおよびジオコードを含むステップをさらに含み、それにより、それぞれ時間および地理的場所を提供する、項目８に記載の方法。
（項目１０）
上記音響情報のガウス混合モデルを含む音声シグネチャを上記データベースに提供するステップをさらに含む、項目１に記載の方法。
（項目１１）
上記第２の組の音響情報の音圧レベル測定を上記データベースに提供するステップをさらに含む、項目１に記載の方法。
（項目１２）
上記第１の組および上記第２の組の音響情報のうちの少なくとも１つを記憶するステップをさらに含む、項目１に記載の方法。
（項目１３）
トピックを検索するステップと、
該トピックと関連する地図を提供するステップと、
該トピックに関係する情報について上記データベースを検索するステップと、
該地図とともに再生するために該情報を提供するステップと
さらに含む、項目１に記載の方法。
（項目１４）
音響情報を収集し、提供する方法であって、
音響情報のリポジトリにアクセスできるウェブサイトを提供するステップと、
音圧レベル（ＳＰＬ）を測定するように構成される第２の複数の通信デバイスを使用して、第１の複数のＳＰＬレベルを収集するステップと、
各音圧レベルにタイムスタンプおよびジオコードを含むメタデータを添付するステップと、
該ウェブサイトとともに使用するためのデータベースの中に該音圧レベルを記憶するステップと
を含む、方法。
（項目１５）
音圧レベルを自動的に収集し、アップロードするステップをさらに含む、項目１４に記載の方法。
（項目１６）
携帯電話によって音圧レベルを収集するステップをさらに含む、項目１４に記載の方法。
（項目１７）
イヤホンによって音圧レベルを収集するステップをさらに含む、項目１４に記載の方法。
（項目１８）
ユーザインターフェースが、編集、監視、およびコンテンツの管理を促進する、項目１４に記載の方法。
（項目１９）
音響情報を収集し、提供する方法であって、
記憶された音響データベースにアクセスするステップと、
ウェブベースのＧＩＵインターフェースの少なくとも１つのページを使用して、音響情報をアップロードするステップと、
該アップロードされた音響情報を音波シグネチャパラメータと比較するステップであって、該パラメータは、訓練されたモデルと関連する、ステップと、
該パラメータを使用して該アップロードされた音響情報を識別し、該アップロードされた音響情報に識別子を追加するステップと、
該アップロードされた音響情報および該識別子を該ベースの中に記憶するステップと
を含む、方法。
（項目２０）
上記アップロードは、自動的に達成される、項目１９に記載の方法。
（項目２１）
上記アップロードは、複数の通信デバイスを使用して達成される、項目２０に記載の方法。
（項目２２）
ウェブベースのＧＵＩインターフェースは、ユーザアクセスを促進するように構成される、項目２０に記載の方法。
（項目２３）
上記ウェブベースのＧＵＩインターフェースの少なくとも１つのページからアクセス可能である記録を投稿するステップと、
該投稿された記録の議論を促進するために、上記ウェブサイト上にフォーラムを提供するステップと
をさらに含む、項目１９に記載の方法。
（項目２４）
携帯電話によって音圧レベルデータを記録するステップであって、該携帯電話は、該音圧レベルデータにタイムスタンプおよびジオコードを追加する、ステップと、
該音圧レベルデータを上記ウェブサイトにアップロードするステップと、
上記ウェブベースのＧＵＩインターフェースの少なくとも１つのページからアクセス可能である音圧レベルデータを投稿するステップと
をさらに含む、項目１９に記載の方法。
（項目２５）
イヤホンによって音声シグネチャを記録するステップであって、該イヤホンは、該音声シグネチャにタイムスタンプおよびジオコードを付するデータを含むメタデータを生成する、ステップと、
該音声シグネチャおよびメタデータを上記ウェブサイトにアップロードするステップと、
議論のために上記音声シグネチャおよびメタデータを該ウェブサイトに投稿するステップと
をさらに含む、項目１９に記載の方法。
（項目２６）
イヤホンによって音圧レベルを記録するステップであって、該イヤホンは、該音圧レベルにタイムスタンプおよびジオコードを付するデータを含むメタデータを生成する、ステップと、
該音圧レベルおよびメタデータを上記ウェブサイトにアップロードするステップと、
上記ウェブベースのＧＵＩインターフェースの少なくとも１つのページからアクセス可能である上記音圧レベルデータを投稿するステップと、
をさらに含む、項目１９に記載の方法。
（項目２７）
音声シグネチャを収集し、提供する方法であって、
記憶された音響データベースの中のアップロードされた音波シグネチャにアクセスするステップと、
該データベースからデバイスに少なくとも１つの音波シグネチャを提供するステップであって、それにより、該デバイスは、上記少なくとも１つの音声シグネ チャを使用して、該デバイスによって受信された音声との比較を行うことにより、該少なくとも１つの音声シグネチャに類似した音声の存在を決定する、ステップと
を含む、方法。
（項目２８）
音響情報を収集する方法であって、
通信デバイスによって音圧レベルを測定するステップと、
いつ、どこで該音圧レベルが測定されたかという時間情報および地理的情報を含むメタデータを該音圧レベルとともに捕捉するステップと、
該通信デバイスのメモリに該音圧レベルおよびメタデータを記憶するステップと、
該通信デバイスからデータベースに該音圧レベルおよびメタデータをアップロードするステップと
を含む、方法。
（項目２９）
音響情報を収集する方法であって、
通信デバイスによって音響情報を記録するステップと、
該音響情報から音波シグネチャを生成するステップであって、該音波シグネチャは、モデルパラメータと、該音響情報を表す特徴とを含む、ステップと、
いつ、どこで該音波シグネチャが記録されたかという時間情報および地理的情報を含むメタデータを捕捉するステップと、
該通信デバイスのメモリに該音波シグネチャおよびメタデータを記憶するステップと、
該通信デバイスからデータベースに、該音波シグネチャデータおよびメタデータをアップロードするステップと
を含む、方法。
（項目３０）
マッピングする方法であって、
地理的領域を識別するステップと、
該地理的領域と関連する音響データベースから音声シグネチャ情報を取り出すステップと、
該音響データベースからのデータを使用して、該地理的領域に関係する音響情報を図示する音響地図を作成するステップと
を含む、方法。
（項目３１）
地図とともに音響情報を提供する方法であって、
トピックを検索するステップと、
該トピックと関連する地図を提供するステップと、
該トピックに関係する音響情報について音響データベースを検索するステップと、
該地図とともに再生するために、該トピックに関係する該音響情報を提供するステップと
を含む、方法。
（項目３２）
周期信号が検出されたことを上記第１の組の音響情報の分析が示すとき、トリガイベントが既に発生している、項目１に記載の方法。
（項目３３）
周期信号が検出されると、上記第１の組の音響情報を少なくとも１つの音声シグネチャと比較するステップと、
上記音声が該少なくとも１つの音声シグネチャに類似しているときに、上記第２の組の音響情報を収集するステップと
をさらに含む、項目２８に記載の方法。